(57)【特許請求の範囲】
【請求項１】
前方に開口した入球口から遊技球を受け入れ可能な入球領域と、
前記入球口を開閉する開閉扉と、
前記入球領域の底部に形成され、前記入球口の開放時に遊技球が転動可能な奥側転動面と、
前記奥側転動面の少なくとも一部に形成されて、前記入球領域に受け入れられた遊技球を下方へと排出する１対の球排出孔を有する排出領域と、
前記１対の球排出孔の間で前後方向に延び、上端部が前下がりに傾斜した中間壁と、を備えた遊技機であって、
前記奥側転動面のうち左右方向の中央部に陥没部を設けて、その陥没部の底面に前記排出領域を形成すると共に、前記奥側転動面のうち前記陥没部の両横に、前記陥没部に向かって下るように傾斜して遊技球を前記陥没部に案内する１対のサイド転動部を設け、
前記中間壁の高さを、前記１対のサイド転動部を超えない高さとし、
前記奥側転動面の奥行きは、遊技球１個分以上、２個分未満であって、
前記奥側転動面において前記サイド転動部と前記排出領域との間に形成される段差の高さは、前記奥側転動面の奥行き方向の手前側の端部において、遊技球の半径以上となっていて、
前記中間壁の上端部の水平面に対する傾斜角を、１０度以下としたことを特徴とする遊技機。
【請求項２】
前記排出領域は、前下がりに傾斜するように構成され、
各前記球排出孔は、後下がり方向に向けて構成されていることを特徴とする請求項１に記載の遊技機。
【請求項３】
前記排出領域と前記中間壁との高低差を、遊技球の半径より小さくしたことを特徴とする請求項１又は２に記載の遊技機。
【発明の詳細な説明】
【技術分野】
【０００１】
本発明は、前方に開放した入球口から遊技球を受け入れ可能な入球領域と、入球口を開閉する開閉扉と、を備えた遊技機に関する。
【背景技術】
【０００２】
従来、この種の遊技機として、入球領域に受け入れられた遊技球が、入球領域の底部に形成された奥側転動面上を転動して１対の球排出孔から排出されるものが知られている（例えば、特許文献１参照）。また、この遊技機では、１対の球排出孔の間で前後方向に延びた中間壁によって、遊技球を何れか一方の球排出孔に振り分け可能となっていた。
【先行技術文献】
【特許文献】
【０００３】
【特許文献１】特開２００８−１５４９３６号公報（段落［００２９］、図３）
【発明の概要】
【発明が解決しようとする課題】
【０００４】
しかしながら、上述した従来の遊技機では、中間壁の上端部が水平に配置されているため、中間壁の上に乗った遊技球が滞留し易いという問題があった。
【０００５】
本発明は、上記事情に鑑みてなされたもので、入球領域内での遊技球の滞留を抑制可能な遊技機の提供を目的とする。
【課題を解決するための手段】
【０００６】
上記目的を達成するためになされた請求項１の発明は、前方に開口した入球口から遊技球を受け入れ可能な入球領域と、前記入球口を開閉する開閉扉と、前記入球領域の底部に形成され、前記入球口の開放時に遊技球が転動可能な奥側転動面と、前記奥側転動面の少なくとも一部に形成されて、前記入球領域に受け入れられた遊技球を下方へと排出する１対の球排出孔を有する排出領域と、前記１対の球排出孔の間で前後方向に延び、上端部が前下がりに傾斜した中間壁と、を備えた遊技機であって、前記奥側転動面のうち左右方向の中央部に陥没部を設けて、その陥没部の底面に前記排出領域を形成すると共に、前記奥側転動面のうち前記陥没部の両横に、前記陥没部に向かって下るように傾斜して遊技球を前記陥没部に案内する１対のサイド転動部を設け、前記中間壁の高さを、前記１対のサイド転動部を超えない高さとし、前記奥側転動面の奥行きは、遊技球１個分以上、２個分未満であって、前記奥側転動面において前記サイド転動部と前記排出領域との間に形成される段差の高さは、前記奥側転動面の奥行き方向の手前側の端部において、遊技球の半径以上となっていて、前記中間壁の上端部の水平面に対する傾斜角を、１０度以下としたことを特徴とする遊技機である。
【０００７】
請求項１の発明では、１対の球排出孔の間で前後方向に延びた中間壁の上端部が前下がりに傾斜しているので、中間壁の上に乗った遊技球を、入球口側へと寄せ、開閉扉の開閉動作を利用して遊技球を動かすことが可能となる。これにより、中間壁の上に乗った遊技球の滞留を抑えることが可能となり、入球領域内での遊技球の滞留を抑制することが可能となる。また、請求項１の発明によれば、中間壁の高さは、１対のサイド転動部を超えない高さになっているので、中間壁の上に乗った遊技球がサイド転動部に乗り上げることを抑制可能となる。これにより、奥側転動面のうち陥没部に受容された遊技球が、サイド転動部へ抜け出ることを抑えて、その遊技球を球排出孔から排出することが可能となる。具体的には、奥側転動面の奥行きを、遊技球１個分以上、２個分未満とすると共に、奥側転動面においてサイド転動部と排出領域との間に形成される段差の高さを、奥側転動面の奥行き方向の手前側の端部において、遊技球の半径以上とし、中間壁の上端部の水平面に対する傾斜角を、１０度以下とすればよい。
【０００８】
請求項２の発明は、前記排出領域は、前下がりに傾斜するように構成され、各前記球排出孔は、後下がり方向へ向けて構成されていることを特徴とする請求項１に記載の遊技機である。
【０００９】
請求項２の発明によれば、排出領域を転動する遊技球についても、滞留を抑制することが可能となる。また、球排出孔は、後下がり方向へ向けて構成されているので、中間壁や排出領域を転動する遊技球と、球排出孔に受け入れられた遊技球との干渉を避け易くすることが可能となる。
【００１０】
請求項３の発明は、前記排出領域と前記中間壁との高低差を、遊技球の半径より小さくしたことを特徴とする請求項１又は２に記載の遊技機。
【００１１】
請求項３の発明によれば、開閉扉との衝撃により遊技球を移動させるときに、中間壁が遊技球の移動の妨げになることが抑制されるので、前記排出領域に遊技球を誘導させ易くすることが可能となる。
【発明の効果】
【００１５】
本発明では、１対の球排出孔の間で前後方向に延びた中間壁の上端部が前下がりに傾斜しているので、中間壁の上に乗った遊技球の滞留を抑制することが可能となる。
【図面の簡単な説明】
【００１６】
【図１】本発明の一実施形態に係る遊技機の正面図
【図２】遊技盤の正面図
【図３】第１大入賞部及び第２大入賞部の斜視図
【図４】第１大入賞部の斜視図
【図５】第１入賞部屋及び第２入賞部屋の正面図
【図６】第１大入賞部の平断面図
【図７】第１大入賞部の平断面図
【図８】第１入賞部屋の斜視図
【図９】第１開閉扉の（Ａ）表側から見た斜視図、（Ｂ）裏側から見た斜視図
【図１０】閉状態の第１大入賞部及び開状態の第２大入賞部の側断面図
【図１１】開状態の第１大入賞部及び閉状態の第２大入賞部の側断面図
【図１２】第２開閉扉を（Ａ）表側から見た斜視図、（Ｂ）裏側から見た斜視図
【図１３】第２入賞部屋の斜視図
【図１４】第２大入賞部の（Ａ）開状態における側断面図、（Ｂ）閉状態における側断面図
【図１５】第２大入賞部の（Ａ）開状態における側断面図、（Ｂ）閉状態における側断面図
【図１６】第１大入賞部、第２大入賞部及び振分装置の正面図
【図１７】振分装置の内部構造を示す斜視図
【図１８】振分装置の正断面図
【図１９】（Ａ）振分部材が中間位置にあるときの振分装置の正断面図、（Ｂ）振り分け部材が第１位置にあるときの振分装置の正断面図
【図２０】（Ａ）ショート開放時の第１開閉扉と振分部材の動作を示すタイムチャート、（Ｂ）ロング開放時の第１開閉扉と振分部材の動作を示すタイムチャート
【図２１】変形例に係る第２大入賞部の側断面図
【発明を実施するための形態】
【００１７】
以下、本発明の一実施形態を図１〜図２０に基づいて説明する。図１に示すように、本実施形態の遊技機１０はパチンコ遊技機であって、前側が前面枠１０Ｚにて覆われており、その前面枠１０Ｚに形成されたガラス窓１０Ｗを通して遊技盤１１の遊技領域Ｒ１が視認可能になっている。なお、以下の説明において、特記しない限り「右」及び「左」とは、遊技機１０を前方から見た場合の「右」及び「左」を指すものとする。
【００１８】
前面枠１０Ｚのうちガラス窓１０Ｗより下方には、上皿２６と下皿２７が上下２段にして設けられ、下皿２７の右側には操作ハンドル２８が設けられている。操作ハンドル２８を回動操作すると、上皿２６に収容された遊技球が遊技領域Ｒ１に向けて弾き出される。
【００１９】
図２に示すように、遊技領域Ｒ１は全体が略円形状となっていて、ガイドレール１２により囲まれている。遊技盤１１のうち遊技領域Ｒ１の中央には、遊技盤表示窓１１Ｈが貫通形成され、この遊技盤表示窓１１Ｈを通して、表示装置１３の表示画面１３Ｇが前方に臨んでいる。
【００２０】
遊技盤表示窓１１Ｈの開口縁には、表示装飾枠２３が取り付けられている。表示装飾枠２３は、遊技盤１１の前面側から遊技盤表示窓１１Ｈに嵌め込まれて遊技盤１１の前面から突出し、遊技領域Ｒ１を流下する遊技球が表示装飾枠２３の内側に進入することを規制している。
【００２１】
遊技領域Ｒ１のうち表示装飾枠２３の下方における左右方向の中央部には、センター始動入賞口１４Ａ及びアウト口１６が、上から順に並べて設けられている。センター始動入賞口１４Ａは、ポケット構造をなし、その上面の開口部に遊技球が入球すると特別図柄当否判定が行われて、その特別図柄当否判定の結果が表示画面１３Ｇにて表示される。
【００２２】
表示装飾枠２３の右側には、始動ゲート１８が設けられると共に、表示装飾枠２３の右辺部のうち始動ゲート１８より下方位置には、サイド始動入賞口１４Ｂが形成されている。始動ゲート１８は、遊技球が潜って通過可能な門形構造をなし、遊技球が始動ゲート１８を通過すると普通図柄当否判定が行われる。また、サイド始動入賞口１４Ｂは、右側に開口し、可動片１４Ｈによって開閉される。具体的には、可動片１４Ｈは、通常は、鉛直に起立した閉位置に配置され、上述の普通図柄当否判定の結果が当りとなったことを条件にして、下端部を中心に回動し、横倒しとなった開位置（図２に示す位置）に配置される。開位置に配置された可動片１４Ｈは、上方から流下する遊技球を受け止めてサイド始動入賞口１４Ｂへと案内する。センター始動入賞口１４Ａと同様に、サイド始動入賞口１４Ｂに遊技球が入球したときも、特別図柄当否判定が行われ、その結果が表示画面１３Ｇにて表示される。
【００２３】
表示装飾枠２３の右下には、左下がりに傾斜し且つ複数の球落下口２５Ａを有した傾斜誘導部２５が形成されている。傾斜誘導部２５は、表示装飾枠２３の右側に形成された右側流下路２４Ｒを流下してきた遊技球を受け止めて左側へと誘導し、球落下口２５Ａから遊技球を落下させる。なお、詳細には、傾斜誘導部２５は、複数の釘を列状に並べて構成される道釘で構成されている。
【００２４】
傾斜誘導部２５における複数の球落下口２５Ａの下方には、第１大入賞部３０が設けられている。第１大入賞部３０は、前方に開口した横長矩形状の第１大入賞口３１を有し、その第１大入賞口３１が第１開閉扉４１によって開閉されるようになっている。第１開閉扉４１は、第１大入賞口３１の下方開口縁を中心にして回動可能となっていて、通常は、略鉛直に起立した状態に保持されて、第１大入賞口３１を閉塞している。
【００２５】
第１大入賞部３０の下方には、第２大入賞部６０が設けられている。第２大入賞部６０は、第１大入賞口３１より幅広な横長矩形状の第２大入賞口６１を有し、その第２大入賞口６１が第２開閉扉８１によって開閉されるようになっている。第２開閉扉８１は、第２大入賞口６１の下方開口縁を中心にして回動可能となっていて、通常は、起立姿勢に保持されて、第２大入賞口６１を閉塞している。なお、第１大入賞口３１と第２大入賞口６１とは、右辺部が揃えて配置されている。
【００２６】
第１大入賞口３１と第２大入賞口６１は、上述した特別図柄当否判定の結果が当りとなったことを条件にして行われる大当り遊技の実行中に開放される。具体的には、大当り遊技が実行されると、第１開閉扉４１と第２開閉扉８１の何れか一方が、所定期間（例えば、１０秒）に亘って前方に倒れる。これにより、第１大入賞口３１と第２大入賞口６１の何れか一方に遊技球が入球可能となる。ここで、何れか一方の大入賞口３１，６１を入賞可能状態（所定期間内に繰り返し行われる開閉動作も含む）としてから入賞不可状態とするまでの（開放状態から閉塞状態までの）動作を「ラウンド」と称すると、１回の大当り遊技は、所定回数（例えば、１６ラウンド）のラウンドが実行されるまで継続する。１回のラウンドは、大入賞口３１，６１の開放時間が予め設定された上限時間に達するか、又は、規定上限数（例えば、１０個）の遊技球が入賞すると終了する。本実施形態では、第１大入賞口３１と第２大入賞口６１が、１ラウンドごと交互に開放されるように構成されている。なお、本構成によれば、ラウンド終了直後（短いインターバル時間を有する構成も含む）に、次のラウンドを開始することが可能となるので、第１大入賞口３１及び第２大入賞口６１へ向けて打ち出された遊技球の取りこぼしが低減されると共に、大当り遊技を迅速に消化することが可能となる。
【００２７】
図２に示すように、遊技領域Ｒ１には、遊技球が入球可能な一般入賞口２１が複数設けられている。一般入賞口２１は、センター始動入賞口１４Ａと同様に、ポケット構造をなし、遊技球を受け入れ可能となっている。詳細には、一般入賞口２１は、遊技領域Ｒ１における左下部分と第１大入賞部３０の右側に配置されている。なお、センター始動入賞口１４Ａ、サイド始動入賞口１４Ｂ、第１大入賞口３１、第２大入賞口６１及び一般入賞口２１の何れかに遊技球が入球すると、各入賞口に対応して設定された所定数の賞球が上皿２６に払い出される。また、上記の何れの入賞口にも入球しなかった遊技球は、遊技領域Ｒ１の下端に配置されたアウト口１６に取り込まれる。
【００２８】
以下、第１大入賞部３０及び第２大入賞部６０について、詳説する。図３に示すように、第１大入賞部３０は、第１大入賞口３１の後方に第１入賞部屋３２を備えている。第１入賞部屋３２は、左右方向に延びた横長構造をなし、遊技盤１１の前面に対して後側に陥没している。図５及び図８に示すように、第１入賞部屋３２の左側壁３２Ｌには、検出スイッチ３４が備えられ、その検出スイッチ３４に形成された検出孔３４Ａが、第１入賞部屋３２に連通している。そして、遊技球が検出孔３４Ａを通過すると、第１大入賞部３０への遊技球の入賞が確定する。
【００２９】
第１入賞部屋３２の底部には、左下がりに傾斜した誘導スロープ３３が形成されていて、第１入賞部屋３２に受け入れられた遊技球を誘導スロープ３３にて検出孔３４Ａ側へと誘導することが可能となっている。具体的には、検出スイッチ３４は、矩形板状のスイッチ本体３４Ｂの一端寄り位置に検出孔３４Ａを備えた構造をなして、検出孔３４Ａを通過した遊技球を検出する。そして、図５に示すように、スイッチ本体３４Ｂは、検出孔３４Ａの中心軸が誘導スロープ３３と略平行となるように配置されている。これにより、誘導スロープ３３により誘導された遊技球を検出孔３４Ａへとスムーズに通過させることが可能となる。検出孔３４Ａを通過した遊技球は、球排出路３８を流下して第１大入賞部３０から排出される。
【００３０】
図６に示すように、第１入賞部屋３２の奥面のうち検出孔３４Ａから離れた側（右側）の部分には、検出孔３４Ａ側（左側）へ向かうに従って第１入賞部屋３２の奥行きが大きくなるように傾斜した奥側傾斜部３５が形成されている。本構成によれば、奥側傾斜部３５によって、第１入賞部屋３２の右側部分に受け入れられた遊技球を検出孔３４Ａ側へと誘導することが可能となる。
【００３１】
第１入賞部屋３２のうち検出孔３４Ａ側の部分には、第１入賞部屋３２の奥行きが略一定となるように遊技盤１１の前面と略平行になった奥側平坦部３６が形成されている。また、奥側傾斜部３５と奥側平坦部３６の間には、少なくとも一部が奥側平坦部３６と平行となった段差部３５Ｄが設けられている。本構成によれば、奥側傾斜部３５によって第１入賞部屋３２の奥側に誘導される遊技球の勢いを段差部３５Ｄで低減させることが可能となる。なお、本実施形態では段差部３５Ｄを設けているが、図７で示すように、段差部３５Ｄを設けず、奥側傾斜部３５と奥側平坦部３６とを、奥側に凹むように円弧状に湾曲した円弧部３５Ｒで繋ぐ構成としてもよい。この構成の場合は、遊技球の流れをスムーズにすることが可能となる。
【００３２】
次に、第１大入賞口３１を開閉する第１開閉扉４１について説明する。図９（Ａ）に示すように、第１開閉扉４１は、矩形板状の扉本体４２と、扉本体４２の下端部から左右両側に突出した回動軸部４１Ｊ，４１Ｊとを備えている。回動軸部４１Ｊ，４１Ｊは、第１大入賞口３１の開口縁の両側部に回動可能に支持される。
【００３３】
図９（Ｂ）に示すように、扉本体４２の左右両辺部からは、１対のサイド突片４１Ｓ，４１Ｓが裏側に突出し、扉本体４２の裏面で受け止めた遊技球が左右両側から落下することを抑制可能となっている。また、１対のサイド突片４１Ｓ，４１Ｓのうち右側のサイド突片４１Ｓは、回動軸部４１Ｊに対して扉本体４２と反対側に突出した後方突部４８を有している。そして、その後方突部４８に、第１駆動源４４（図３参照）からの動力を受けて回動軸部４１Ｊを中心に第１開閉扉４１を回動させるための駆動軸部４３が備えられている。
【００３４】
図９（Ｂ）に示すように、第１開閉扉４１（扉本体４２）の裏面は、第１開閉扉４１が開位置に配置されたときに、後下がりに傾斜して遊技球を第１入賞部屋３２へと誘導する誘導面４１Ｍとなっている。また、図９（Ｂ）に示すように、第１開閉扉４１の裏側には、第１開閉扉４１の幅方向（即ち、左右方向）で対向するように１対の誘導突部４５，４６が突出形成されている。
【００３５】
図６及び図９（Ｂ）に示すように、１対の誘導突部４５，４６のうち検出孔３４Ａから離れた側、即ち、右側に配置される第１誘導突部４５は、誘導面４１Ｍにおける奥側の隅部に配置され、左右方向に延びて略水平な稜線部４５Ｅを上部に有している。第１誘導突部４５のうち稜線部４５Ｅより前側に配置される部分には、前側が先細りとなる平面視三角形状をなして稜線部４５Ｅから前下がりに傾斜する三角上面４５Ａが備えられている。そして、第１誘導突部４５のうち三角上面４５Ａより左側部分が、左斜め前方へ下り且つ下端部が幅広な三角形状の第１傾斜面４５Ｂとなっている。なお、第１誘導突部４５のうち三角上面４５Ａ及び第１傾斜面４５Ｂの後側に配置には、回動軸部４１Ｊと同軸の円弧面の一部を切除してなる円弧状後面４５Ｃで構成されている。
【００３６】
１対の誘導突部４５，４６のうち検出孔３４Ａ側、即ち、左側に配置される第２誘導突部４６は、誘導面４１Ｍにおける左側の端部に配置され、左右方向に延びて略水平な稜線部４６Ｅを上部に有している。第２誘導突部４６のうち稜線部４６Ｅより前側に配置される部分には、後側が幅狭となる平面視台形状をなして稜線部４６Ｅから前下がりに傾斜する台形上面４６Ａが備えられている。そして、第２誘導突部４６のうち台形上面４６Ａより右側部分が、右斜め後方へ下り且つ下端部が幅広な三角形状の第２傾斜面４６Ｂとなっている。なお、第２誘導突部４６のうち台形上面４６Ａの後側には、回動軸部４１Ｊと同軸の円弧面の一部を切除してなる円弧状後面４６Ｃが備えられ、その円弧状後面４６Ｃの右側の端部と第２傾斜面４６Ｂとの間が、連絡面４６Ｄにて連絡されている。
【００３７】
本実施形態の遊技機１０では、図６及び図９（Ｂ）に示すように、第１開閉扉４１に１対の誘導突部４５，４６が設けられることで、誘導面４１Ｍに、遊技球を検出孔３４Ａ側へと誘導する誘導路４７が形成されている。具体的には、誘導路４７は、第１誘導突部４５と第２誘導突部４６との挟まれた部分と、第１傾斜面４５Ｂと、第２傾斜面４６Ｂと、によって構成されている。
【００３８】
図６に示すように、誘導路４７の右側の縁部（第１誘導突部４５。詳細には、第１傾斜面４５Ｂの下端部。）は、第１入賞部屋３２へ向かうに従って左側へ向かうように直線状に傾斜した第１誘導傾斜部４５Ｋとなっている。そして、第１誘導傾斜部４５Ｋの延長線Ｌ１上に、上述した検出孔３４Ａが配置されている。なお、ここで、第１誘導傾斜部４５Ｋは、上述した第１入賞部屋３２の奥側傾斜部３５と略平行に配置されている。
【００３９】
また、図６に示すように、誘導路４７の左側の縁部（第２誘導突部４６。詳細には、第２傾斜面４６Ｂの下端部。）は、検出孔３４Ａよりも右側に配置され、第１入賞部屋３２へ向かうに従って左側へ向かうように直線状に傾斜した第２誘導傾斜部４６Ｋとなっている。このように、本実施形態では、誘導路４７の左右の縁部（第１誘導傾斜部４５Ｋと第２誘導傾斜部４６Ｋ）が共に、奥側へ向かうに従って検出孔３４Ａへ向かうように配置されている。
【００４０】
また、図４に示すように、誘導路４７の右側部における奥側（第１入賞部屋３２側）の縁部（詳細には、第１傾斜面４５Ｂの奥側の縁部）には、誘導スロープ３３と略平行となるように左下がりに傾斜した傾斜受け渡し部４５Ｌが形成されている。これにより、誘導スロープ３３と誘導路４７の間の高低差が大きくなることが抑えられる。
【００４１】
次に、第１大入賞部３０の動作について説明する。第１大入賞部３０は、通常の遊技状態では、第１大入賞口３１に遊技球が入球困難な閉状態となっている。具体的には、図１０に示すように、第１開閉扉４１が略鉛直に起立した閉位置に配置されて、第１大入賞口３１を閉塞する。このとき、第１開閉扉４１は、第１大入賞口１７の開口縁と当接することで閉位置に位置決め（移動規制）されている。なお、第１開閉扉４１のサイド突片４１Ｓ，４１Ｓは、サイド受容凹部３２Ｓ，３２Ｓに受容される。
【００４２】
大当り遊技が開始されると、所定のラウンドで、第１大入賞部３０は、第１大入賞口３１に遊技球が入球可能な開状態となる。具体的には、図１１に示すように、第１開閉扉４１が回動軸部４１Ｊを中心に回動して、第１開閉扉４１を側方から見ると後下がり（前上がり）に傾斜した開位置に配置される。そして、第１開閉扉４１は、誘導面４１Ｍにて遊技球を受け止めて第１大入賞口３１へと誘導可能な状態となる。このとき、第１開閉扉４１は、後方突部４８（図９（Ｂ）参照）が右側のサイド受容凹部３２Ｓ（図５参照）の奥壁に下方から当接することで、閉位置に位置決めされている。
【００４３】
第１大入賞部３０に遊技球を入球させるためには、遊技領域Ｒ１の右側流下路２４Ｒを流下させる。右側流下路２４Ｒを流下してきた遊技球は、傾斜誘導部２５によって第１大入賞部３０の上方へと誘導され、球落下口２５Ａから落下する。このように、第１大入賞部３０へ入球する遊技球は、遊技領域Ｒ１の右側から流下してくるので、第１開閉扉４１が遊技球を受け止める範囲は、右側に偏り易くなる。一方で、第１入賞部屋３２から遊技球を排出させる検出孔３４Ａは、第１入賞部屋３２の左側に配置されている。その結果、第１開閉扉４１にて受け止めた遊技球を検出孔３４Ａから排出するまでの時間がかかり易くなり、１回のラウンドを終了させるために必要な規定上限数以上の遊技球が第１入賞部屋３２に入球する、所謂、オーバー入賞が発生するという問題が生じ得る。
【００４４】
ここで、本実施形態の遊技機１０では、第１開閉扉４１の誘導面４１Ｍに形成された誘導路４７によって、第１開閉扉４１に受け止められた遊技球が検出孔３４Ａへ向けて流下し易くなっているので、第１開閉扉４１に受け止められた遊技球が検出孔３４Ａへ到達するまでの時間を短縮可能となる。しかも、第１誘導突部４５における第１傾斜面４５Ｂの下端部は、第１入賞部屋３２へ向かうに従って検出孔３４Ａ側（左側）へ向かうように直線状に傾斜した第１誘導傾斜部４５Ｋとなっていて、第１誘導傾斜部４５Ｋの延長線Ｌ１上に、上述した検出孔３４Ａが配置されているので、誘導面４１Ｍのうち誘導路４７の右側で受け止められた遊技球を検出孔３４Ａ側へ向けて流下させ易くすることが可能となる。さらに、第２誘導突部４６における第２傾斜面４６Ｂの下端部は、第１入賞部屋３２へ向かうに従って左側へ向かうように直線状に傾斜した第２誘導傾斜部４６Ｋとなっているので、誘導面４１Ｍのうち誘導路４７の左側で受け止められた遊技球についても検出孔３４Ａ側へ向けて流下させ易くすることが可能となる。
【００４５】
また、第１誘導突部４５の傾斜受け渡し部４５Ｌによって、誘導スロープ３３と誘導路４７の間の高低差が大きくなることが抑えられるので、誘導面４１Ｍから誘導スロープ３３への遊技球の受け渡しをスムーズに行うことが可能となる。しかも、第１誘導傾斜部４５Ｋは、奥側傾斜部３５と略平行になっているので、遊技球が第１誘導突部４５を乗り越えて第１入賞部屋３２へ受け入れられた場合であっても、その遊技球を、第１誘導傾斜部４５Ｋに誘導される別の遊技球との干渉を抑制しながら検出孔３４Ａに向けて誘導することが可能となっている。さらに、奥側傾斜部３５によって検出孔３４Ａ側に誘導される遊技球は、段差部３５Ｄによって減速されるので、奥側傾斜部３５に誘導された遊技球が奥側平坦部３６に跳ね返されて第１開閉扉４１の誘導路４７を転動する遊技球と衝突することが抑制され、誘導路４７を転動する遊技球を検出孔３４Ａへスムーズに誘導することが可能となる。
【００４６】
第１大入賞部３０の説明は以上である。次に、第２大入賞部６０について説明する。
【００４７】
第２大入賞部６０の説明では、まず、第２大入賞口６１を開閉する第２開閉扉８１について説明する。図１２（Ａ）に示すように、第２開閉扉８１は、矩形板状の扉本体８２の下端両側部に、扉本体の幅方向に延びる回動軸部８１Ｊ，８１Ｊを備えた構造になっている。回動軸部８１Ｊ，８１Ｊには、回動軸部８１Ｊの中心軸上で互いに離れる方向に突出した突起８３，８３が設けられ、それら突起８３，８３が、第２大入賞口６１の開口縁の両側部に回動可能に支持されている。そして、第２開閉扉８１は、図１１に示す閉位置と、図１０に示す開位置との間を回動する。
【００４８】
図１０及び図１２（Ｂ）に示すように、第２開閉扉８１（扉本体８２）の裏面は、第２開閉扉８１が開位置に配置されたときに、第２開閉扉８１を側方から見ると後下がり（前上がり）に傾斜して遊技球を第２入賞部屋６２へと誘導する誘導面８１Ｍとなっている。図１２（Ｂ）に示すように、扉本体８２の左右両辺部からは、１対のサイド突片８１Ｓ，８１Ｓが裏側に突出し、誘導面８１Ｍで受け止められた遊技球が左右両側から落下することが抑制されている。また、１対の回動軸部８１Ｊ，８１Ｊには、後側に張り出す後方張出部８６，８６が形成されている。また、１対の後方張出部８６，８６のうち一方の後方張出部８６（本実施形態では、右側の後方張出部８６）からは、第２駆動源８５（図３参照）からの動力を受けて、回動軸部８１Ｊを中心に第２開閉扉８１を回動させるための駆動軸部８４が備えられている。
【００４９】
図３に示すように、第２大入賞部６０は、第２大入賞口６１の後方に第２入賞部屋６２を備えている。第２入賞部屋６２は、左右方向に延びた横長構造をなし、遊技盤１１の前面に対して後側に陥没している。また、第２入賞部屋６２の左右両側には、第２開閉扉８１のサイド突片８１Ｓ，８１Ｓを受容可能なサイド受容凹部６２Ｓ，６２Ｓが形成されている。
【００５０】
また、図１３に示すように、第２入賞部屋６２の奥面のうち、左右方向の両側部には、中央部に向かうに従って第２入賞部屋６２の奥行きが大きくなるように傾斜した傾斜面６６Ａ，６６Ａが形成されている。また、第２入賞部屋６２の奥面のうち、左右方向の中央部は、遊技盤１１の前面と平行に延びた平坦面６６Ｂとなっている。
【００５１】
図５及び図１３に示すように、第２入賞部屋６２の底部には、第２大入賞口６１から入球してきた遊技球が転動可能な奥側転動面６３が形成されている。奥側転動面６３のうち左右方向の中央部は、左右方向の両側部に対して段付き状に陥没した陥没部６４になっていて、その陥没部６４の両横に、陥没部６４に向かうに従って下るように傾斜したサイド転動部６５，６５が設けられている。サイド転動部６５，６５は、開位置に配置された第２開閉扉８１の内面との間に殆ど段差が生じないように構成されており、第２開閉扉８１からサイド転動部６５，６５へと遊技球がスムーズに乗り移ることが可能となっている。
【００５２】
陥没部６４の底面は、第２入賞部屋６２から遊技球を排出するための球排出孔６４Ａを有した排出領域Ｒ２となっている。本実施形態では、排出領域Ｒ２に、円形状をなす１対の球排出孔６４Ａ，６４Ａが横並びに配置されている。
【００５３】
詳細には、排出領域Ｒ２（陥没部６４の底面）の一部は、第２入賞部屋６２への入球数をカウントするための検出スイッチ６８，６８によって構成されている。検出スイッチ６８は、矩形板状のスイッチ本体６８Ｂの一端寄り位置に円形の検出孔６８Ａを備えた構造をなし（図１４参照）、陥没部６４に形成された矩形開口６９にスイッチ本体６８Ｂが下方から宛がわれることで、スイッチ本体６８Ｂが陥没部６４の底面の一部を構成している。なお、検出スイッチ６８の検出孔６８Ａによって、上述の球排出孔６４Ａが構成されている。
【００５４】
図１４に示すように、排出領域Ｒ２（陥没部６４の底面）は、前下がりに傾斜している。従って、陥没部６４に受け入れられた遊技球は、前側に転動する。ここで、サイド転動部６５の前端部と排出領域Ｒ２の前端部との高低差は、遊技球の半径以上となっている。従って、陥没部６４からサイド転動部６５，６５への遊技球の移動が困難となっている。なお、排出領域Ｒ２の後端部は、サイド転動部６５，６５より低い位置に配置されている。本実施形態では、排出領域Ｒ２の奥行きが遊技球１個分以上、２個分未満となっているので、排出領域Ｒ２の水平面に対する傾斜角度を約１０度とすることで、排出領域Ｒ２の後端部をサイド転動部６５より低く配置することが可能となっている。
【００５５】
図１３及び図１４（Ａ）に示すように、排出領域Ｒ２（陥没部６４の底面）のうち１対の球排出孔６４Ａ，６４Ａの間からは、前後方向（第２入賞部屋６２の奥行き方向）に延びた中間壁６７が突出している。図１４（Ａ）に示すように、中間壁６７の上端部は、陥没部６４の底面と同様に、前下がりに傾斜している。本実施形態では、中間壁６７の上端部は、排出領域Ｒ２と略平行となっている。また、排出領域Ｒ２と中間壁６７との高低差は、遊技球の半径より小さくなっていて、中間壁６７の高さは、１対のサイド転動部６５，６５を超えない高さに構成されている。なお、図１３の例では、中間壁６７の上面は、球排出孔６４Ａ，６４Ａに向かって緩やかに下り傾斜しているが、畝状に隆起してもよいし、平坦であってもよい。
【００５６】
次に、第２大入賞部６０の動作について説明する。第２大入賞部６０は、通常の遊技状態では、第２大入賞口６１に遊技球が入球困難な閉状態となっている。具体的には、図１１に示すように、第２開閉扉８１が略鉛直に起立した閉位置に配置されて、第２大入賞口６１を閉塞する。詳細には、第２開閉扉８１は若干後下がりに傾いた状態となっていて、扉本体８２の下端部が回動軸部８１Ｊの中心より後側に配置されると共に、扉本体８２の上端部が回動軸部８１Ｊの中心の上方に配置されている。なお、第２開閉扉８１は、第２大入賞口６１の開口縁と当接することで閉位置に位置決め（移動規制）され、第２開閉扉８１のサイド突片８１Ｓ，８１Ｓは、サイド受容凹部６２Ｓ，６２Ｓに受容される。
【００５７】
大当り遊技が開始されると、所定のラウンドで、第２大入賞部６０は、第２大入賞口６１に遊技球が入球可能な開状態となる。具体的には、図１０に示すように、第２開閉扉８１が回動軸部８１Ｊを中心に回動して、後下がりに傾斜した開位置に配置される。そして、第２開閉扉８１は、誘導面８１Ｍにて遊技球を受け止めて第２大入賞口６１へと遊技球を誘導可能な状態となる。このとき、第２開閉扉８１は、後方張出部８６，８６が右側のサイド受容凹部６２Ｓ，６２Ｓの奥壁７５に下方から当接することで、開位置に位置決めされている（図１０には、一方の後方張出部８６とサイド受容凹部６２Ｓのみが示されている。）。
【００５８】
第２大入賞口６１から第２入賞部屋６２へ進入した遊技球は、排出領域Ｒ２（陥没部６４の底面）の球排出孔６４Ａ，６４Ａ（検出孔６８Ａ，６８Ａ）から排出され、これにより、第２大入賞部６０への入賞が確定する。このとき、１対の球排出孔６４Ａ，６４Ａの間には、前後方向に延びた中間壁６７が備えられている。中間壁６７は、第２入賞部屋６２内の遊技球を何れか一方の球排出孔６４Ａに振分可能にするために球排出孔６４Ａ，６４Ａ（検出孔６８Ａ，６８Ａ）の各々に向けて傾斜した傾斜面６７Ｍを有する構成となっている。ここで、中間壁６７の高さは、１対のサイド転動部６５，６５を超えない高さに構成されているので、中間壁６７の上に乗った遊技球がサイド転動部６５，６５に乗り上げることを抑制可能となり、陥没部６４に受容された遊技球が、サイド転動部６５へ抜け出ることを抑えられる。
【００５９】
ここで、中間壁６７の上に乗った遊技球が滞留すると、遊技球の排出スピードが遅くなり、１回のラウンドを終了させるために必要な規定上限数以上の遊技球が第２入賞部屋６２に入球する、所謂、オーバー入賞が生じ得る。しかしながら、本実施形態の遊技機１０では、中間壁６７の上端部が前下がりに傾斜しているので、中間壁６７の上に乗った遊技球を、前側（第２大入賞口６１側）へと寄せ（図１４（Ａ）参照）、第２開閉扉８１を開閉することで、中間壁６７の上に乗った遊技球に第２開閉扉８１が接触したり、開閉動作による衝撃等が発生することで、遊技球に動きを持たすことが可能となる（図１４（Ｂ）参照）。これにより、中間壁６７の上に乗った遊技球の滞留を抑えることが可能となり、遊技球の滞留、或は球詰まりを抑制することが可能となる。さらに、排出領域Ｒ２と中間壁６７との高低差は、遊技球の半径より小さくなっているので、第２開閉扉８１によって遊技球を移動させる際、中間壁６７が遊技球の移動の妨げになることが抑制される。
【００６０】
また、本実施形態では、排出領域Ｒ２が、前下がりに傾斜するように構成されているので、排出領域Ｒ２を転動する遊技球についても、前側（第２大入賞口６１側）へと寄せ、第２開閉扉８１が閉じたときの衝撃で移動させることが可能となり（図１５（Ａ）及び図１５（Ｂ）参照）、滞留を抑制することが可能となる。しかも、球排出孔６４Ａは、斜め後下方へ延びるように配置されているので、中間壁６７や排出領域Ｒ２を転動する遊技球と、球排出孔６４Ａに受け入れられた遊技球との干渉を避け易くすることが可能となる。
【００６１】
ところで、図１０に示すように、第２大入賞部６０は、第１大入賞部３０の直下に配置されているので、第２開閉扉８１が上流から流下した遊技球を受け止めるときの衝撃は、第１開閉扉４１が遊技球を受け止めるときの衝撃よりも大きくなる。しかも、上述したように、第２開閉扉８１は、第１開閉扉４１よりも幅広となっている（図５参照）。従って、第２開閉扉８１は、第１開閉扉４１よりも、遊技球との衝撃によって変形し易いという問題がある。
【００６２】
このような第２開閉扉８１の変形を防止すべく、図１０に示すように、第２大入賞部６０には、第２大入賞口６１の下方開口縁から上方に突出した支持突部７１が備えられている。この支持突部７１は、開位置に位置決めされた第２開閉扉８１に下方から当接して、第２開閉扉８１を支持可能に構成されている。
【００６３】
具体的には、支持突部７１は、第２大入賞口６１の幅方向の中央に配置されることで、第２開閉扉８１のうち最も変形が生じやすい部分を支持可能となっている。また、支持突部７１は、第２開閉扉８１と面当接可能な傾斜当接面７１Ｋを上部に備えていて、これにより、第２開閉扉８１の支持の安定化が図られている。また、図１１に示すように、支持突部７１は、第２開閉扉８１が閉位置に配置された状態で、扉本体８２の上端部の下方且つ下端部の前方に配置される。このように、本実施形態では、第２開閉扉８１が後下がりに傾斜することで扉本体８２の下端部の前方に生じたスペースに支持突部７１が受容されるので、支持突部７１が第２大入賞口６１の開口縁から前方に突出することを抑制しつつ、傾斜当接面７１Ｋの面積を大きくすることが可能となっている。
【００６４】
第１大入賞部３０及び第２大入賞部６０の説明は以上である。ところで、第１大入賞部３０の球排出路３８から排出された遊技球は、振分装置１００に受け入れられる。以下、振分装置１００について説明する。
【００６５】
図１６に示すように、振分装置１００は、第１大入賞部３０及び第２大入賞部６０の左側に配置され、第１入賞部屋３２の球排出路３８に連通する導入流路１１０を上部に備えている。導入流路１１０は、導入樋１１１の前方がフロントプレート１０１で閉塞されることで形成されている（図１６及び図１７参照）。なお、フロントプレート１０１は、遊技盤１１に取り付けられて遊技領域Ｒ１の一部を構成し、上述した第１大入賞口３１及び第２大入賞口６１を形成する第１開口部１０２及び第２開口部１０３を有している。
【００６６】
図１６に示すように、導入流路１１０は、球排出路３８の終端から左下がりに傾斜した傾斜流路１１０Ａと、傾斜流路１１０Ａの終端から下方に垂下する垂下流路１１０Ｂと、で構成されている。そして、傾斜流路１１０Ａが第１入賞部屋３２の球排出路３８に連絡することで、第１入賞部屋３２から排出された遊技球が導入流路１１０を流下するようになっている。
【００６７】
図１６及び図１７に示すように、振分装置１００は、導入流路１１０から２股に分岐した第１分岐流路１２１と第２分岐流路１２２を備えている。第１分岐流路１２１は、導入樋１１１の下方から左斜め下方に延びた第１分岐樋１２３の前方がフロントプレート１０１で閉塞されることで構成されている。また、第２分岐流路１２２は、導入樋１１１の下方から右斜め下方に下るように延びた第２分岐樋１２４の前方がフロントプレート１０１で閉塞されることで構成されている。
【００６８】
図１８に示すように、第１分岐樋１２３は、第１分岐流路１２１の幅方向で対向した１対の第１流路壁１２３Ａ，１２３Ｂを有し、第２分岐流路１２２から離れた側（導入流路１１０に近い側）の第１外側流路壁１２３Ａが導入樋１１１に連絡している。第２分岐樋１２４は、第２分岐流路１２２の幅方向で対向した１対の第２流路壁１２４Ａ，１２４Ｂを有し、第１分岐流路１２１から離れた側（導入流路１１０に近い側）の第２外側流路壁１２４Ａが導入樋１１１に連絡している。１対の第１流路壁１２３Ａ，１２３Ｂのうち第２分岐流路１２２に近い側（導入流路１１０から離れた側）の第１内側流路壁１２３Ｂは、１対の第２流路壁１２４Ａ，１２４Ｂのうち第１分岐流路１２１に近い側（導入流路１１０から離れた側）の第２内側流路壁１２４Ｂと連絡している。なお、導入樋１１１、第１分岐樋１２３及び第２分岐樋１２４の奥壁は、フロントプレート１０１と対向するバックプレート１０４によって構成されている。
【００６９】
第１分岐流路１２１及び第２分岐流路１２２の途中には、上述した検出スイッチ３４と同様の第１検出スイッチ１２１Ｓ及び第２検出スイッチ１２２Ｓが備えられていて、第１分岐流路１２１及び第２分岐流路１２２を流下する遊技球が検出される。なお、本実施形態では、第２検出スイッチ１２２Ｓにて遊技球が検出されると、大当り遊技の終了後に、遊技者に有利な特典遊技が付与されるＶ入賞となる。即ち、第２分岐流路１２２は、遊技球をＶ入賞させるためのＶ入賞路となっている。
【００７０】
第１分岐流路１２１及び第２分岐流路１２２は、それぞれ、第１排出ダクト１２１Ｄと第２排出ダクト１２２Ｄに連絡している。そして、第１排出ダクト１２１Ｄ及び第２排出ダクト１２２Ｄから排出される遊技球が、遊技盤１１の下方に備えられた図示しないダクトに取り込まれて、遊技機１０が設置された遊技ホールの遊技球循環システムに送られる。
【００７１】
図１８に示すように、導入樋１１１の下方で、第１分岐樋１２３と第２分岐樋１２４とに挟まれた部分は、導入流路１１０、第１分岐流路１２１及び第２分岐流路１２２の共有エリア１２９になっている。そして、共有エリア１２９には、導入流路１１０から進入した遊技球を、第１分岐流路１２１と第２分岐流路１２２の何れか一方に振り分けるために振分部材１３０が備えられている。
【００７２】
詳細には、バックプレート１０４には、振分部材１３０用に共有エリア１２９内に中心を有する円形の受容孔１３１Ａが形成されている。受容孔１３１Ａの直径は、導入流路１１０の幅より僅かに大きくなっていて、受容孔１３１Ａの一部が共有エリア１２９からはみ出して導入流路１１０、第１分岐流路１２１及び第２分岐流路１２２に突入している。また、受容孔１３１Ａの中心は、導入流路１１０の幅方向の中心より僅かに第２分岐流路１２２側にずれた配置になっている。
【００７３】
振分部材１３０は、受容孔１３１Ａに回動可能に受容された回動ベース１３１と、回動ベース１３１の前端面から突出した振分突片１３２とを有している。回動ベース１３１の前端面は、バックプレート１０４の前面と略面一になっていて、その回動ベース１３１の前端面のうち回動ベース１３１の中心軸から離れた（オフセットした）位置に振分突片１３２が配置されている。振分突片１３２は、遊技球１つ分の幅をなし、振分突片１３２における回動ベース１３１の中心軸側を向いた面は球受け面１３２Ｍになっている。また、球受け面１３２Ｍと回動ベース１３１の前端面とが交差する角部には、複数の三角リブ１３３が備えられ、これら三角リブ１３３は、回動ベース１３１の前端面と球受け面１３２Ｍとに当接した遊技球と干渉しない高さになっている。即ち、三角リブ１３３にて、遊技球の流下を妨げずに、振分突片１３２が補強されている。
【００７４】
また、振分装置１００には、回動ベース１３１を受けて受容孔１３１Ａの中心軸回りに回動させる振分用駆動源１３５（図１７参照）が備えられている。そして、回動ベース１３１が回動することで、振分突片１３２が第１分岐流路１２１を閉塞して球受け面１３２Ｍにて遊技球を第２分岐流路１２２に案内する第１位置（図１９（Ｂ）参照）と、振分突片１３２が第２分岐流路１２２を閉塞して球受け面１３２Ｍにて遊技球を第１分岐流路１２１に案内する第２位置（図１８）との間を移動する。本実施形態では、回動ベース１３１が受容孔１３１Ａ内で回動する構成となっているので、回動ベース１３１で遊技球の流下を妨げることなく、振分突片１３２を支持することが可能となる。
【００７５】
図１９（Ｂ）に示すように、振分部材１３０が第１位置に配置された状態では、振分突片１３２は、右下がり傾斜して、第１分岐樋１２３の第１外側流路壁１２３Ａとの間に遊技球が通過不能な空間を形成すると共に、第２分岐樋１２４の第２外側流路壁１２４Ａとの間に遊技球が通過可能な空間を形成する。このとき、振分突片１３２の下端部が第１内側流路壁１２３Ｂと第２内側流路壁１２４Ｂとの連絡部分に近接配置されることで、その連絡部分と振分突片１３２との間を遊技球が通過不能となっている。振分部材１３０が第１位置から反時計方向に回動すると、図１９（Ａ）に示す中間位置を経て、図１８に示す第２位置に配置される。なお、振分部材１３０が第２位置から時計方向に回動すると、中間位置を経て第１位置に配置される。
【００７６】
図１８に示すように、振分部材１３０が第２位置に配置された状態では、振分突片１３２は、左下がりに傾斜して、第２分岐樋１２４の第２外側流路壁１２４Ａとの間に遊技球が通過不能な空間を形成すると共に、第１分岐樋１２３の第１外側流路壁１２３Ａとの間に遊技球が通過可能な空間を形成する。このときも、振分突片１３２の下端部が第１内側流路壁１２３Ｂと第２内側流路壁１２４Ｂとの連絡部分に近接配置されることで、その連絡部分と振分突片１３２との間を遊技球が通過不能となっている。
【００７７】
図１９（Ａ）に示すように、振分部材１３０が中間位置に配置された状態では、振分突片１３２は、略水平に配置され、第１分岐流路１２１と第２分岐流路１２２とに跨って配置される。そして、図１９（Ａ）から図１８への変化に示すように、振分部材１３０は、中間位置から第１位置へ移動するときに、振分突片１３２の右側の端部（第２外側流路壁１２４Ａ側の端部）が上流側（導入流路１１０側）に持ち上げられるように回動して、第２外側流路壁１２４Ａとの間隔を狭めると共に、第１外側流路壁１２３Ａとの間隔を広げる。また、図１９（Ａ）から図１９（Ｂ）への変化に示すように、振分部材１３０は、中間位置から第２位置へ移動するときに、振分突片１３２の左側の端部（第１外側流路壁１２３Ａ側の端部）が導入流路１１０側、即ち、第１分岐流路１２１の上流側に持ち上げられるように回動して、第１外側流路壁１２３Ａとの間隔を狭めると共に、第２外側流路壁１２４Ａとの間隔を広げる。
【００７８】
ところで、本実施形態の遊技機１０では、第１大入賞口３１の開放態様として、ショート開放とロング開放の２種類が設けられている。ショート開放は、ロング開放よりも第１大入賞口３１の開放時間が短くなっている。なお、本実施形態においては、「第１大入賞口３１の開放時間」とは、第１大入賞口３１の開放の上限時間を指すものとする。
【００７９】
図２０（Ａ）には、ショート開放のときの、第１開閉扉４１の動作と、振分部材１３０の動作のタイムチャートが示されている。また、図２０（Ｂ）には、ロング開放のときの、第１開閉扉４１の動作と、振分部材１３０の動作のタイムチャートが示されている。なお、図２０（Ａ）及び図２０（Ｂ）では、第１大入賞口３１が所定の開放時間まで開放する例が示されている。
【００８０】
図２０（Ａ）に示すように、大当り遊技で所定のラウンドが開始されるラウンド開始タイミングｔ０より前では、第１開閉扉４１は閉位置（図１０参照）に配置され、振分部材１３０は第２位置（図１８参照）に配置されている。ラウンド開始タイミングｔ０になると、第１開閉扉４１が開位置（図１１参照）へと移動し、第１大入賞口３１に遊技球が入球可能となる。次いで、第１開放タイミングｔ１になると、振分部材１３０が第１位置（図１９（Ｂ）参照）へと移動し、第２分岐流路１２２（Ｖ入賞路）が開放される。このとき、第１開閉扉４１は、開位置に配置されたままである。
【００８１】
ショート開放の開放時間が経過して、ラウンド終了タイミングｔ２になると、第１開閉扉４１が閉位置へと移動して、第１大入賞口３１に遊技球が入球困難となる。このとき、振分部材１３０は、第１位置に配置されたままである。次いで、第１閉鎖タイミングｔ３になると、振分部材１３０が第２位置（図１８参照）へと移動し、第２分岐流路１２２が閉鎖される。なお、ここで、ラウンド開始タイミングｔ０から第１閉鎖タイミングｔ３までの時間は、ラウンド開始タイミングｔ０で第１大入賞口３１に入球した遊技球が共有エリア１２９へ到達するまでにかかる時間よりも短く設定されている。従って、第１大入賞口３１に入球した遊技球は、第１開放タイミングｔ１から第１閉鎖タイミングｔ３の間、第２分岐流路１２２が開放されても、第２分岐流路１２２への遊技球の入球が困難となっている。
【００８２】
図２０（Ｂ）には、ロング開放のときの、第１開閉扉４１の動作と、振分部材１３０の動作のタイムチャートが示されている。同図に示されるように、ロング開放の場合においても、ラウンド開始タイミングｔ０になると、第１開閉扉４１が開位置（図１１参照）へと移動し、第１大入賞口３１に遊技球が入球可能となる。そして、第１開放タイミングｔ１になると、振分部材１３０が第１位置（図１９（Ｂ）参照）へと移動し、第２分岐流路１２２が開放される。このとき、第１開閉扉４１は、開位置に配置されたままである。
【００８３】
次いで、第１閉鎖タイミングｔ３になると、振分部材１３０が第２位置（図１８参照）へと移動し、第２分岐流路１２２が閉鎖される。次いで、第２開放タイミングｔ４になると、振分部材１３０が、再び、第１位置へと移動し、第２分岐流路１２２が再度開放される。第１閉鎖タイミングｔ３及び第２開放タイミングｔ４においても、第１開閉扉４１は開位置に配置されたままである。
【００８４】
ロング開放の開放時間が経過して、ラウンド終了タイミングｔ５になると、第１開閉扉４１が閉位置へと移動し、第１大入賞口３１に遊技球が入球困難となる。次いで、第２閉鎖タイミングｔ６になると、振分部材１３０が第２位置へと移動し、第２分岐流路１２２が閉鎖される。
【００８５】
図２０（Ａ）と図２０（Ｂ）との比較から明らかなように、第１大入賞口３１の開放がショート開放であるかロング開放であるかに拘わらず、振分部材１３０の動作は同じになっている。これにより、振分用駆動源１３５（図１７参照）による振分部材１３０の制御の統一化が図られる。
【００８６】
ここで、ロング開放時において第２開放タイミングｔ４で振分部材１３０が第１位置へと移動するときに、導入流路１１０から第１分岐流路１２１へと流下する遊技球があると、その遊技球が振分部材１３０と第１外側流路壁１２３Ａ（図１８参照）との間に挟まれて、球詰まりを誘発する可能性がある。このような球詰まりを抑制すべく、本実施形態では、図１８に示すように、第１外側流路壁１２３Ａに球逃がし部１２５が形成されている。
【００８７】
球逃がし部１２５は、第１外側流路壁１２３Ａの少なくとも一部を振分部材１３０の回動中心から遠ざかるように突出させて構成されている。そして、球逃がし部１２５は、第１位置へ移動する途中の振分部材１３０との間に遊技球１個分以上の間隔を形成する。具体的には、球逃がし部１２５は、共有エリア１２９で第１分岐流路１２１側へ向かうに従って振分部材１３０の回動領域（回動ベース１３１）との間隔を広げる円弧形状に形成されている。これにより、振分部材１３０が第１位置へ移動するときに、第１分岐流路１２１へと向かう遊技球をスムーズに流下させることが可能となる。
【００８８】
ここで、本実施形態では、ラウンド終了タイミングｔ５から第２閉鎖タイミングｔ６までの時間は、ラウンド終了タイミングｔ５で第１大入賞口３１に入球した遊技球が共有エリア１２９へ到達するまでにかかる時間よりも長く設定されている。従って、第２閉鎖タイミングｔ６で振分部材１３０が第２位置へ移動するときには、第１大入賞口３１に入球した遊技球の振り分けが完了していて、振分部材１３０による球詰まりが発生し難くなっている。これにより、第１外側流路壁１２３Ａに球逃がし部１２５を備えるだけで、振分部材１３０による球詰まりを抑制することが可能となる。また、本実施形態では、導入流路１１０が第１大入賞部３０の側方に配置されると共に、第１分岐流路１２１が導入流路１１０に対して右側に、第２分岐流路１２２が左側に配置されている。そして、球逃がし部１２５は、振分装置１００の右側に配置されているので、球逃がし部１２５が、第１大入賞部３０や第２大入賞部６０に配設された役物や装置と干渉することを抑制可能となる。また、それら役物や装置を効率よく配置することで、それら役物や装置以外の遊技部材の取り付けスペースを大きくすることが可能となる。
【００８９】
本実施形態の遊技機１０の構成に関する説明は以上である。なお、本実施形態では、第２大入賞口６１が本発明の「入球口」に、第２入賞部屋６２が本発明の「入球領域」に、第２開閉扉８１が本発明の「開閉扉」に、それぞれ相当する。
【００９０】
次に、遊技機１０の作用効果について説明する。本実施形態の遊技機１０では、遊技者により操作ハンドル２８が操作されると、遊技球が遊技領域Ｒ１に順次打ち込まれる。遊技球がセンター始動入賞口１４Ａ又はサイド始動入賞口１４Ｂに入球すると、その入球に基づいて大当たり遊技の当否判定が行われ、その判定結果が当たりであると、大当たり遊技が実行される。
【００９１】
大当り遊技が実行されると、第１大入賞部３０の第１大入賞口３１と第２大入賞部６０の第２大入賞口６１がラウンド毎に交互に開放される。そして、右側流下路２４Ｒ及び傾斜誘導部２５を流下してきた遊技球が第１開閉扉４１又は第２開閉扉８１に受け止められると、第１大入賞口３１又は第２大入賞口６１から第１入賞部屋３２又は第２入賞部屋６２に遊技球が受け入れられる。
【００９２】
第２大入賞口６１から第２入賞部屋６２へ進入した遊技球は、排出領域Ｒ２（陥没部６４の底面）の球排出孔６４Ａ，６４Ａ（検出孔６８Ａ，６８Ａ）で検出され、これにより、第２大入賞部６０への入賞が確定する（図１３、図１４（Ａ）及び図１４（Ｂ）参照）。このとき、１対の球排出孔６４Ａ，６４Ａの間には、前後方向に延びた中間壁６７が備えられているので、何れか一方の球排出孔６４Ａから遊技球を排出させやすくなっている。
【００９３】
ここで、中間壁６７の上に乗った遊技球が滞留すると、遊技球の排出スピードが遅くなり、１回のラウンドを終了させるために必要な規定上限数以上の遊技球が第２入賞部屋６２に入球する、所謂、オーバー入賞が生じ得る。しかしながら、本実施形態の遊技機１０では、中間壁６７の上端部が前下がりに傾斜しているので、中間壁６７の上に乗った遊技球を、前側（第２大入賞口６１側）へと寄せ（図１４（Ａ）参照）、第２開閉扉８１を開閉することで、中間壁６７の上に乗った遊技球に第２開閉扉８１が接触したり、第２開閉扉８１の開閉動作による衝撃等が発生することで、遊技球に動きを持たすことが可能となる（図１４（Ｂ）参照）。これにより、中間壁６７の上端部に乗った遊技球の滞留を抑えることが可能となり、遊技球の滞留或は球詰まりを抑制することが可能となる。また、中間壁６７の高さは、１対のサイド転動部６５，６５を超えない高さに構成されているので、第２開閉扉８１との衝撃によって移動する遊技球がサイド転動部６５，６５へ乗り上げることが抑制可能となっている。さらに、排出領域Ｒ２と中間壁６７との高低差は、遊技球の半径より小さくなっているので、第２開閉扉８１によって遊技球を移動させる際、中間壁６７が遊技球の移動の妨げになることが抑制される。
【００９４】
また、本実施形態では、排出領域Ｒ２が、前下がりに傾斜するように構成されているので、排出領域Ｒ２を転動する遊技球についても、前側（第２大入賞口６１側）へと寄せ、第２開閉扉８１を開閉することで、排出領域Ｒ２の上を転動する遊技球に第２開閉扉８１が接触したり、第２開閉扉８１の開閉動作による衝撃等が発生することで、遊技球に動きを持たすことが可能となる（図１５（Ａ）及び図１５（Ｂ）参照）、滞留或は球詰まりを抑制することが可能となる。しかも、球排出孔６４Ａは、斜め後下方に向けて配置されているので、中間壁６７や排出領域Ｒ２を転動する遊技球と、球排出孔６４Ａに受け入れられた遊技球との干渉を避け易くすることが可能となる。
【００９５】
［他の実施形態］
本発明は、上記実施形態に限定されるものではなく、例えば、以下に説明するような実施形態も本発明の技術的範囲に含まれ、さらに、下記以外にも要旨を逸脱しない範囲内で種々変更して実施することができる。
【００９６】
（１）上記実施形態では、排出領域Ｒ２が前下がりに傾斜していたが、略水平であってもよい。
【００９７】
（２）上記実施形態では、球排出孔６４Ａ，６４Ａ（検出孔６８Ａ，６８Ａ）が排出領域Ｒ２から斜め後下方へ延びるように構成されていたが、図２１に示すように、鉛直下方へ延びるように構成されてもよい。
【００９８】
（３）上記実施形態では、球排出孔６４Ａを２つのみ備えた構成であったが、２つの球排出孔６４Ａの間に前後方向に延びた中間壁６７を備えていれば、球排出孔６４Ａを３つ以上備えていてもよい。
【００９９】
（４）上記実施形態では、奥側転動面６３に陥没部６４を備えた構成になっていたが、陥没部６４を備えない構成であってもよい。この場合において、奥側転動面６３の全体を前下がりに傾斜させてもよい。
【０１００】
（５）上記実施形態では、本発明の「入球口」が、入球によって遊技者に賞球を付与可能な入賞口で構成されていたが、例えば、入球した遊技球を使用して演出等を行う演出用役物の入球口で構成されてもよい。
【０１０１】
（６）上記実施形態では、第１大入賞部３０は大当たり遊技の実行中に開放する構成で使用されているが、第１大入賞部３０を当否判定用の当否判定用入賞装置としてもよい。具体的には、所定の入賞口への入球を起因に当否判定用入賞装置の入賞口（第１大入賞口３１）を開放するか否かを判定し、その判定結果に基づき振分部材１３０を第１位置や第２位置に移動し、入賞口（第１大入賞口３１）に入球した遊技球が第１分岐流路１２１に流下したら外れで、第２分岐流路に流下し第２検出スイッチ１２２Ｓで検出されたら第２大入賞口６１が開放する大当たり遊技が実行されるという構成のための入賞装置の構成であってもよい。
なお、上記実施形態及び他の実施形態（１）〜（６）には、以下［１］〜［５］の特徴的な構成が含まれていると言える。
［１］前方に開口した入球口から遊技球を受け入れ可能な入球領域と、前記入球口を開閉する開閉扉と、前記入球領域の底部に形成され、前記入球口の開放時に遊技球が転動可能な奥側転動面と、前記奥側転動面の少なくとも一部に形成されて、前記入球領域に受け入れられた遊技球を下方へと排出する１対の球排出孔を有する排出領域と、前記１対の球排出孔の間で前後方向に延び、上端部が前下がりに傾斜した中間壁と、を備えたことを特徴とする遊技機。
［１］の構成では、１対の球排出孔の間で前後方向に延びた中間壁の上端部が前下がりに傾斜しているので、中間壁の上に乗った遊技球を、入球口側へと寄せ、開閉扉の開閉動作を利用して遊技球を動かすことが可能となる。これにより、中間壁の上に乗った遊技球の滞留を抑えることが可能となり、入球領域内での遊技球の滞留を抑制することが可能となる。
［２］前記排出領域は、前下がりに傾斜するように構成され、各前記球排出孔は、後下がり方向に向けて構成されていることを特徴とする［１］に記載の遊技機。
［２］の構成によれば、排出領域を転動する遊技球についても、滞留を抑制することが可能となる。また、球排出孔は、後下がり方向へ向けて構成されているので、中間壁や排出領域を転動する遊技球と、球排出孔に受け入れられた遊技球との干渉を避け易くすることが可能となる。
［３］前記排出領域と前記中間壁との高低差を、遊技球の半径より小さくしたことを特徴とする［１］又は［２］に記載の遊技機。
［３］の構成によれば、開閉扉との衝撃により遊技球を移動させるときに、中間壁が遊技球の移動の妨げになることが抑制されるので、前記排出領域に遊技球を誘導させ易くすることが可能となる。
［４］前記奥側転動面のうち左右方向の中央部に陥没部を設けて、その陥没部の底面に前記排出領域を形成すると共に、前記奥側転動面のうち前記陥没部の両横に、前記陥没部に向かって下るように傾斜して遊技球を前記陥没部に案内する１対のサイド転動部を設け、前記中間壁の高さを、前記１対のサイド転動部を超えない高さとしたことを特徴とする［１］〜［３］のうち何れか１に記載の遊技機。
［５］前記奥側転動面の奥行きを、遊技球１個分以上、２個分未満とすると共に、前記サイド転動部の前端部と前記排出領域の前端部との高低差を、遊技球の半径以上とし、前記中間壁の上端部の水平面に対する傾斜角を、約１０度以下としたことを特徴とする［４］に記載の遊技機。
［４］の構成によれば、中間壁の高さは、１対のサイド転動部を超えない高さになっているので、中間壁の上に乗った遊技球がサイド転動部に乗り上げることを抑制可能となる。これにより、奥側転動面のうち陥没部に受容された遊技球が、サイド転動部へ抜け出ることを抑えて、その遊技球を球排出孔から排出することが可能となる。具体的には、［５］の構成のように、奥側転動面の奥行きを、遊技球１個分以上、２個分未満とすると共に、サイド転動部の前端部と排出領域の前端部との高低差を遊技球の半径以上とし、中間壁の上端部の水平面に対する傾斜角を約１０度以下とすればよい。
【符号の説明】
【０１０２】
１０    遊技機
６０    第２大入賞部
６１    第２大入賞口（入球口）
６２    第２入賞部屋（入球領域）
６４    陥没部
６４Ａ    球排出孔
６５    サイド転動部
６７    中間壁
８１    第２開閉扉（開閉扉）
Ｒ２    排出領域
【図１】
0006047717.tif 000002
【図２】
0006047717.tif 000003
【図３】
0006047717.tif 000004
【図４】
0006047717.tif 000005
【図５】
0006047717.tif 000006
【図６】
0006047717.tif 000007
【図７】
0006047717.tif 000008
【図８】
0006047717.tif 000009
【図９】
0006047717.tif 000010
【図１０】
0006047717.tif 000011
【図１１】
0006047717.tif 000012
【図１２】
0006047717.tif 000013
【図１３】
0006047717.tif 000014
【図１４】
0006047717.tif 000015
【図１５】
0006047717.tif 000016
【図１６】
0006047717.tif 000017
【図１７】
0006047717.tif 000018
【図１８】
0006047717.tif 000019
【図１９】
0006047717.tif 000020
【図２０】
0006047717.tif 000021
【図２１】
0006047717.tif 000022